(57)【要約】      （修正有）【課題】剃毛の際に皮膚に与えるダメージを緩和する処理を行える剃毛装置、毛抜き装置を提供する。【解決手段】剃毛装置１００、毛抜き装置が、剃毛機構４０または毛抜き機構によって除毛される前または後の皮膚に向かって紫外線を照射する紫外線光源２０を備える。紫外線によって大気中の酸素がオゾンに変換されることから、除毛の前または後の皮膚をオゾンによって消毒等することができる。また、剃毛機構４０、毛抜き機構もオゾンにより消毒することが可能となり、剃毛機構、毛抜き機構に付着した細菌が皮膚へと移行することを防止できる。【選択図】      図１
2004254858.tif 000002
【特許請求の範囲】
【請求項１】
皮膚に生えた毛を剃る剃毛機構と、
前記剃毛機構に近接して配置され、前記剃毛機構によって毛が剃られる前または後の皮膚に向かって紫外線を照射する紫外線光源と、
を具備することを特徴とする剃毛装置。
【請求項２】
前記剃毛装置が、紫外線を透過する紫外線透過窓を有する空所を備えた筺体をさらに具備し、
前記紫外線光源が前記空所内に配置されている
ことを特徴とする請求項１記載の剃毛装置。
【請求項３】
前記紫外線透過窓が、石英材料からなる
ことを特徴とする請求項２記載の剃毛装置。
【請求項４】
前記紫外線光源が複数あって、かつ前記剃毛機構を挟むように配置されている
ことを特徴とする請求項１記載の剃毛装置。
【請求項５】
前記剃毛機構が複数あって、前記紫外線光源を挟むように配置されている
ことを特徴とする請求項１記載の剃毛装置。
【請求項６】
前記紫外線光源が、１８５ｎｍ近傍の波長成分を含む紫外線を照射する
ことを特徴とする請求項１記載の剃毛装置。
【請求項７】
前記紫外線光源が、２５４ｎｍ近傍の波長成分を含む紫外線を照射する
ことを特徴とする請求項６記載の剃毛装置。
【請求項８】
前記紫外線光源から照射される紫外線によって生じるオゾンの濃度が前記皮膚近傍で０．０１ｐｐｍ以上０．１５ｐｐｍ以下の範囲である
ことを特徴とする請求項１記載の剃毛装置。
【請求項９】
皮膚に生えた毛を剃る剃毛機構と、
前記剃毛機構に近接して配置され、前記剃毛機構によって毛が剃られる前または後の皮膚に向かってオゾンを放出するオゾン放出機構と、
を具備することを特徴とする剃毛装置。
【請求項１０】
前記オゾン放出機構が、放電により発生したオゾンを放出する
ことを特徴とする請求項９記載の剃毛装置。
【請求項１１】
前記剃毛装置が、放電によりオゾンを発生するオゾン発生機構と、該オゾン発生機構で発生したオゾンを前記オゾン放出機構に導く流路と、をさらに具備する
ことを特徴とする請求項１０記載の剃毛装置。
【請求項１２】
前記オゾン放出機構から放出されるオゾンの濃度が前記皮膚近傍で０．０１ｐｐｍ以上０．１５ｐｐｍ以下の範囲である
ことを特徴とする請求項１１記載の剃毛装置。
【請求項１３】
皮膚に生えた毛を剃る剃毛機構と、
前記剃毛機構に近接して配置され、前記剃毛機構によって毛が剃られる前または後の皮膚に向かって非レーザ光を照射する光源と、
を具備することを特徴とする剃毛装置。
【請求項１４】
前記光源が、２００ｎｍ以下の波長幅の連続光を照射することを特徴とする請求項１３記載の剃毛装置。
【請求項１５】
前記光源が、５７５ｎｍ以上１２００ｎｍ以下の波長成分を含む連続光を照射する
ことを特徴とする請求項１４記載の剃毛装置。
【請求項１６】
前記光源が、発光ダイオードを有する
ことを特徴とする請求項１３記載の剃毛装置。
【請求項１７】
皮膚に生えた毛を抜く毛抜き機構と、
前記毛抜き機構に近接して配置され、前記毛抜き機構によって毛が抜かれる前または後の皮膚に向かって紫外線を照射する紫外線光源と、
を具備することを特徴とする毛抜き装置。
【請求項１８】
皮膚に生えた毛を抜く毛抜き機構と、
前記毛抜き機構に近接して配置され、前記毛抜き機構によって毛が抜かれる前または後の皮膚に向かってオゾンを放出するオゾン放出機構と、
を具備することを特徴とする毛抜き装置。
【請求項１９】
皮膚に生えた毛を抜く毛抜き機構と、
前記毛抜き機構に近接して配置され、前記毛抜き機構によって毛が抜かれる前または後の皮膚に向かって非レーザ光を照射する光源と、
を具備することを特徴とする毛抜き装置。
【発明の詳細な説明】
【０００１】
【発明の属する技術分野】
本発明は、皮膚に生えた毛を剃る剃毛装置および皮膚に生えた毛を抜く毛抜き装置に関する。
【０００２】
【従来の技術】
剃毛装置や毛抜き装置が、皮膚の毛（例えば、髭や脇の下の毛）を除去するのに用いられている。剃毛装置は、例えば内刃と外刃を有し、これらの間に相対的なズレ運動を与えることで毛を切断し、剃毛を行っている。毛抜き装置では、毛を挟んで引っ張ることで、皮膚から毛を抜いている。
剃毛装置や毛抜き装置では除毛（剃毛や毛抜き）の際に皮膚に何らかのダメージ（例えば、皮膚の微細な傷）を与える可能性がある。そのような場合には薬剤を塗ることで、消毒や皮膚の活性化を促している。
【０００３】
【発明が解決しようとする課題】
従来の剃毛装置や毛抜き装置では、除毛の際に皮膚に与えるダメージへの対応が十分とはいえなかった。
本発明はこのような課題を解決するためになされたもので、除毛の際に皮膚に与えるダメージを緩和する処理を行える剃毛装置、毛抜き装置を提供することを目的としている。
【０００４】
【課題を解決するための手段】
Ａ．上記目的を達成するために本明に係る剃毛装置は、皮膚に生えた毛を剃る剃毛機構と、前記剃毛機構に近接して配置され、前記剃毛機構によって毛が剃られる前または後の皮膚に向かって紫外線を照射する紫外線光源と、を具備することを特徴とする。
この剃毛装置には剃毛機構によって毛が剃られる前または後の皮膚に向かって紫外線を照射する紫外線光源が備わっている。紫外線によって大気中の酸素がオゾンに変換されることから、毛が剃られる前または後の皮膚をオゾンによって消毒等することができ、皮膚にできた微細な傷が化膿することの防止等を行える。また、剃毛機構もオゾンにより消毒することが可能となり、剃毛機構に付着した細菌が皮膚へと移行することを防止できる。
【０００５】
（１）前記剃毛装置が、紫外線を透過する紫外線透過窓を有する空所を備えた筺体をさらに具備し、前記紫外線光源が前記空所内に配置されていてもよい。
紫外線光源以外の電気・電子部品を紫外線光源から遮蔽し、オゾンにより酸化、損傷することを防止できる。
紫外線透過窓には、例えば、石英材料を利用することができる。
【０００６】
（２）前記紫外線光源が複数あって、かつ前記剃毛機構を挟むように配置されていてもよい。
毛が剃られる前と後の双方で、オゾンにより皮膚を消毒等することができる。
【０００７】
（３）前記剃毛機構が複数あって、前記紫外線光源を挟むように配置されていてもよい。
剃毛機構が複数ある場合でも、毛が剃られる前または後の皮膚をオゾンによって消毒等できる。
【０００８】
（４）前記紫外線光源が、１８５ｎｍ近傍の波長成分を含む紫外線を照射してもよい。
この波長域の紫外線は酸素をオゾンに効率よく変換することができる。
また、前記紫外線光源が、２５４ｎｍ近傍の波長成分を含む紫外線を照射しても差し支えない。
この波長域の紫外線はオゾンを活性酸素に効率よく変換することができる。酸素がオゾンを経由して活性酸素に変換され、活性酸素により皮膚をより強力に消毒等することができる。
【０００９】
（５）前記紫外線光源から照射される紫外線によって生じるオゾンの濃度が前記皮膚近傍で０．０１ｐｐｍ以上０．１５ｐｐｍ以下の範囲であることが好ましい。
低濃度であると消毒等の効果が無く、この一方、あまりにも高濃度であると皮膚に対して却ってダメージを与える可能性がある。
【００１０】
Ｂ．本発明に係る剃毛装置は、皮膚に生えた毛を剃る剃毛機構と、前記剃毛機構に近接して配置され、前記剃毛機構によって毛が剃られる前または後の皮膚に向かってオゾンを放出するオゾン放出機構と、を具備することを特徴とする。
【００１１】
この剃毛装置には剃毛機構によって毛が剃られる前または後の皮膚に向かってオゾンを放出するオゾン放出機構が備わっている。このため、毛が剃られる前または後の皮膚をオゾンによって消毒等することができ、皮膚にできた微細な傷が化膿することの防止等を行える。また、剃毛機構もオゾンにより消毒することが可能となり、剃毛機構に付着した細菌が皮膚へと移行することを防止できる。
【００１２】
（１）前記オゾン放出機構が、放電により発生したオゾンを放出してもよい。例えば、コロナ放電を用いてオゾンを発生できる。
このオゾンの発生はオゾン放出機構そのもので行ってもよいが、前記剃毛装置が、放電によりオゾンを発生するオゾン発生機構と、該オゾン発生機構で発生したオゾンを前記オゾン放出機構に導く流路と、をさらに具備することで、オゾンの発生と放出を別個に行っても差し支えない。
【００１３】
（２）前記紫外線光源から照射される紫外線によって生じるオゾンの濃度が前記皮膚近傍で０．０１ｐｐｍ以上０．１５ｐｐｍ以下の範囲であることが好ましい。
低濃度であると消毒等の効果が無く、この一方、あまりにも高濃度であると皮膚に対して却ってダメージを与える可能性がある。
【００１４】
Ｃ．本発明に係る剃毛装置は、皮膚に生えた毛を剃る剃毛機構と、前記剃毛機構に近接して配置され、前記剃毛機構によって毛が剃られる前または後の皮膚に向かって非レーザ光を照射する光源と、を具備することを特徴とする。
剃毛により皮膚に与えられるダメージを非レーザ光による治癒作用により緩和できる。
【００１５】
（１）この光源が、２００ｎｍ以下の波長幅の連続光を照射してもよい。
多くの波長の光を含むことから、各波長の光による総合的な効果として剃毛によるダメージを癒すことができる。
ここで、５７５ｎｍ以上１２００ｎｍ以下の波長成分を含む連続光を照射しても差し支えない。
この波長の光はシミ等に反応し、特に、剃毛による肌荒れを癒す効果がある。
【００１６】
（２）前記光源が、発光ダイオードを有してもよい。
発光ダイオードからの非レーザ光によって、剃毛により皮膚に与えられるダメージを緩和できる。
【００１７】
Ｄ．上記目的を達成するために本明に係る毛抜き装置は、皮膚に生えた毛を抜く毛抜き機構と、前記毛抜き機構に近接して配置され、前記毛抜き機構によって毛が抜かれる前または後の皮膚に向かって紫外線を照射する紫外線光源と、を具備することを特徴とする。
この毛抜き装置には毛抜き機構によって毛が抜かれる前または後の皮膚に向かって紫外線を照射する紫外線光源が備わっている。紫外線によって大気中の酸素がオゾンに変換されることから、毛が抜かれる前または後の皮膚をオゾンによって消毒等することができ、皮膚にできた微細な傷が化膿することの防止等を行える。また、毛抜き機構もオゾンにより消毒することが可能となり、毛抜き機構に付着した細菌が皮膚へと移行することを防止できる。
【００１８】
Ｅ．上記目的を達成するために本明に係る毛抜き装置は、皮膚に生えた毛を抜く毛抜き機構と、前記毛抜き機構に近接して配置され、前記毛抜き機構によって毛が抜かれる前または後の皮膚に向かってオゾンを放出するオゾン放出機構と、を具備することを特徴とする。
この毛抜き装置には毛抜き機構によって毛が抜かれる前または後の皮膚に向かってオゾンを放出するオゾン放出機構が備わっている。このため、毛が抜かれる前または後の皮膚をオゾンによって消毒等することができ、皮膚にできた微細な傷が化膿することの防止等を行える。また、毛抜き機構もオゾンにより消毒することが可能となり、毛抜き機構に付着した細菌が皮膚へと移行することを防止できる。
【００１９】
Ｆ．上記目的を達成するために本明に係る毛抜き装置は、皮膚に生えた毛を抜く毛抜き機構と、前記毛抜き機構に近接して配置され、前記毛抜き機構によって毛が抜かれる前または後の皮膚に向かって非レーザ光を照射する光源と、を具備することを特徴とする。
毛抜きにより皮膚に与えられるダメージを非レーザ光による治癒作用により緩和できる。
【００２０】
【発明の実施の形態】
以下、本発明の実施の形態を図面を参照して詳細に説明する。
（第１の実施形態）
図１（Ａ），（Ｂ）は本発明の第１実施形態に係る剃毛装置１００を正面、側面から見た状態を表す断面図である。また、図２は剃毛装置１００の構成を表すブロック図である。
図１に示されるように、剃毛装置１００は筺体１０，紫外線ランプ２０、インバータ３０，剃毛機構４０、回転−往復変換機構５０，モータ６０，制御部７０を備え、電池ＢＴにより動作する。
【００２１】
筺体１０は、インバータ３０，回転−往復変換機構５０，モータ６０，制御部７０、電池ＢＴを格納する主格納室１１と、紫外線ランプ２０を格納するランプ格納室１３とに区分されている。紫外線ランプ２０からの紫外線により発生するオゾンにより、主格納室１１に格納されたインバータ３０等の電気、電子部品が損傷されないようにするためである。
ランプ格納室１３には紫外線を通過するための窓１４が形成されている。窓１４には石英ガラス等の紫外線を透過する窓材の板１５が填め込まれている。ランプ格納室１３内に剃毛により発生した毛が侵入することを防止するためである。
【００２２】
紫外線ランプ２０は、コネクタ２１によりインバータ３０と電気的に接続され、インバータ３０からの、例えば、１００から２００Ｖ程度の高周波電圧により紫外線を発生する。
紫外線ランプ２０は、例えば、放電により紫外線を発生するガス（例えば、水銀の蒸気）が封入された冷陰極線管であり、波長が２００ｎｍ近傍、特に１８４．９、２５３．７ｎｍ近傍の成分を含む紫外線を発生する。波長が１８４．９ｎｍの紫外線は酸素をオゾンに効率良く変換できる。また、波長が２５３．７ｎｍの紫外線はオゾンを活性酸素に効率良く変換することができる。このため、大気中の酸素がオゾン、さらには活性酸素へと変換され、オゾンおよび活性酸素が発生する。
これらオゾン、活性酸素により、皮膚および剃毛機構４０の殺菌等を行える。
【００２３】
紫外線ランプ２０からの紫外線により発生するオゾンが適度な範囲となるように、紫外線ランプ２０の出力等が設定される。例えば紫外線ランプ２０の出力を１．０〜１．５Ｗ程度としてこのオゾン濃度が０．０８〜０．１５ｐｐｍ程度となるように設定する。
人体にオゾンが暴露される環境ではオゾン濃度が０．１ｐｐｍ以下であることが好ましいとされる。しかし、この剃毛装置１００では発生するオゾンが皮膚の近傍に限定されるため、皮膚に対して適度な範囲のオゾンを供給するように設定される。
【００２４】
インバータ３０は、電池ＢＴからの電圧を紫外線ランプ２０が発光するのに適した電圧に昇圧する。インバータ３０は、例えば、１５０〜２００Ｖで３０ｋＨｚの高周波電圧を出力する。なお、図ではインバータ３０が配置されたインバータ基板を示している。
【００２５】
剃毛機構４０は、シェーバ部４１ときわ剃り部４２に区分される。
シェーバ部４１は外刃４３と２つの内刃４４を有し、外刃４３に対して内刃４４を振動させることで毛を切断できる。切断された毛は内刃４４が配置された毛蓄積部（空所）４５内に蓄積される。外刃４３は取り外し可能となっている。外刃４３を取り外すことで、外刃４３のクリーニングおよび毛蓄積部４５内に蓄積された毛の排出が行える。また、内刃４４も取り外し可能であり、容易にクリーニングすることができる。
きわ剃り部４２には２つの刃４７が備えられ、この刃４７を互いに相対的に振動させることで髪の生え際の毛を容易に剃ることができる。
【００２６】
回転−往復変換機構５０は，モータ６０の回転運動を往復運動に変換する機構である。回転−往復変換機構５０からの往復運動により、シェーバ部４１の内刃４４、およびきわ剃り部４２の刃４７が振動する。なお、回転−往復変換機構５０から刃４７への動力伝達機構は図示を省略している。
モータ６０は，電池ＢＴを動力として駆動し回転運動を発生する。
制御部７０は、モータ６０およびインバータ３０を制御する制御機構であり、これらの出力の断続、調整等を行う。なお、図では制御部７０が配置されたメイン基板を示している。
電池ＢＴは、剃毛装置１００全体の電源であり、例えば、リチウムイオン電池等の充電電池を用いることができる。
【００２７】
（剃毛装置１００の動作）
続いて、図を参照して剃毛装置１００の動作について説明する。
図３は、剃毛装置１００を用いて剃毛を行っている状態を表す側面図である。図３（Ａ）、（Ｂ）がそれぞれ、シェーバ部４１で毛を剃った後の皮膚に紫外線ランプ２０からの紫外線が照射される場合と、その逆に紫外線ランプ２０からの紫外線が照射された後の皮膚がシェーバ部４１により毛を剃られる場合を表している。
【００２８】
図３（Ａ）では剃毛によりダメージを受けた皮膚を紫外線により発生するオゾンおよび活性酸素により消毒し、皮膚が化膿等するのを防止している。また、図３（Ｂ）では皮膚を予めオゾン等で消毒しておいてから剃毛を行うことになる。皮膚が予め消毒されていることから、剃毛でダメージを受けても化膿等が行われ難い。
【００２９】
これに加えて、紫外線ランプ２０とシェーバ部４１とが近接して配置されていることから、紫外線から発生したオゾン等がシェーバ部４１に移動し、その外刃４３や内刃４４の消毒が行われる。シェーバ部４１が消毒されることから、剃毛の際に皮膚がシェーバ部４１からの細菌で汚染される畏れが低減する。これによっても、皮膚の化膿等を防止できる。
また、オゾンにより皮膚上の老廃物の分解が促進される。さらに、オゾンにより皮膚の美白が促進される。
【００３０】
（剃毛装置１００の第１の変形例）
図４は、剃毛装置１００の第１の変形例に係る剃毛装置１００ａを表す側面図である。剃毛装置１００ａは、きわ剃り部４２に換えて、紫外線ランプ２０ａを有する。紫外線ランプ２０ａは、剃毛装置１００と同様に、紫外線を通過するための窓１４ａが形成されたランプ格納室１３ａに格納されている。窓１４ａには石英ガラス等の紫外線を透過する窓材の板１５ａが填め込まれている。
剃毛装置１００ａでは、シェーバ部４１が２つの紫外線ランプ２０、２０ａで挟まれている。このため、剃毛装置１００ａではシェーバ部４１による剃毛の前後双方で皮膚にオゾンを照射することができ、より効果的に皮膚の消毒、老廃物の分解の促進等を行うことができる。
【００３１】
（剃毛装置１００の第２の変形例）
図５は、剃毛装置１００の第２の変形例に係る剃毛装置１００ｂを表す上面図である。
剃毛装置１００ｂでは、紫外線ランプ２０に対応する窓材の板１５を挟んで、複数のシェーバ部４１ａ〜４１ｄが配置されている。このように配置しても、シェーバ部４１ａ〜４１ｃによる剃毛の前、または後に紫外線ランプ２０からの紫外線により皮膚の消毒、老廃物の分解促進を行うことができる。
【００３２】
（第２の実施形態）
図６は本発明の第２実施形態に係る剃毛装置２００を側面から見た状態を表す断面図である。また、図７は剃毛装置２００の構成を表すブロック図である。
図６，７に示されるように、剃毛装置２００は筺体２１０，オゾン放出部２２０、インバータ２３０，剃毛機構４０、回転−往復変換機構５０，モータ６０，制御部７０を備え、電池ＢＴにより動作する。第１の実施形態との最大の相違は、紫外線光源２２に換えてオゾン放出部２２０が配置されていることにある。
【００３３】
オゾン放出部２２０は、例えばコロナ放電等によりオゾンを発生するものであり、オゾン放出部格納室２１３内に配置され、その窓２１４からオゾンを放出する。なお、窓２１４にはオゾンの通過が可能なように、例えば、多数の開口部が形成された板２１５が填め込まれている。
インバータ２３０はオゾン放出部２２０における放電のために電池ＢＴからの電圧を昇圧する。
このように、紫外線を用いることなくオゾンを直接発生した場合でも、剃毛の前後での皮膚の消毒および老廃物の分解促進等を行うことができる。
【００３４】
なお、オゾン放出部２２０とは別個に剃毛装置２００内にオゾン発生部を設け、オゾン発生部で発生したオゾン等を管等の流路でオゾン放出部２２０に導いてもよい。コロナ放電を皮膚からより離れた場所で行うことで、安全性の向上がより容易に行える。この場合、オゾン発生部からオゾン放出部へのオゾンの移動は、ファン等を用いて行える。また、流路に逆流防止弁を取付けることで剃毛機構４０の振動を利用してオゾンを移動させることもできる。
オゾン放出部２２０、インバータ２３０以外では、剃毛装置２００は剃毛装置１００と本質的に異なる訳ではないので詳細な説明を省略する。
【００３５】
（第３の実施形態）
図１、２に示した剃毛装置１００での紫外線ランプ２０に換えて、非レーザ光を発生する光源等を用いることも可能であり、これを本発明の第３の実施形態とする。なお、皮膚に効果的に光を照射するために、レンズ等の集光手段を適宜に用いることも可能である。
【００３６】
光源として、広い波長範囲の連続光を発生する広帯域光源を利用可能である。広い波長範囲の光を含むことで、各波長の光による作用の総合的な効果をもたらすことができる。
【００３７】
具体的な広帯域光源として、波長が５６０ｎｍから１２００ｎｍの間の連続光を発生するものを用いることができる。
このような連続光を用いることで、剃毛による肌荒れを効果的に防止できる。これは次に示す各波長での美肌作用の総合的な効果として生じる。
波長５７５ｎｍ：赤ら顔、赤あざ等に反応し、肌の過度の赤みを低減する
波長６００ｎｍ：茶色のしみ等に反応し、しみを低減する
波長８００ｎｍ：皮膚や毛のメラニン等に反応し、肌の過度の黒ずみを低減する
波長１２００ｎｍ：皮膚の深い場所にあるメラニンや皮膚の水分等に反応し、肌の過度の黒ずみを低減する
【００３８】
このような広波長帯域光は、光源自体にこのような波長域で発光するものを用いて発生することも可能であり、光源（例えば、アークランプ）からの光の内で波長が５６０ｎｍより小さい範囲、１２００ｎｍより大きい範囲の光をフィルタでカットして発生させることも可能である。短波長域の光、特に紫外線をカットして、肌の美化に有効なエネルギーに対応する波長域の光のみを肌に照射する。
なお、広帯域光源としては、輝度が１０００〜４０００ｍｃｄの光を発する光源を利用できる。
【００３９】
光源として、以上のような広波長帯域光源のみでなく、例えば、発光ダイオード（ＬＥＤ）のような狭波長帯域の光源を用いることも可能である。それぞれの美肌効果を発揮させるのに適した波長の光を発生させ、効果的な美肌作用を生じさせ、剃毛によるダメージを癒すことができる。
【００４０】
（その他の実施形態）
本発明の実施形態は上記の実施形態には限られず、拡張・変更することが可能である。そして、拡張・変更した実施形態も本発明の技術的範囲に含まれる。
（１）例えば、上記実施形態では内刃の個数が２つであったが、これに換えて内刃の個数を１つあるいは３つ以上とすることが可能である。
また、外刃に対して内刃を往復運動させることで剃毛を行っているが、内刃を外刃に対して回転することで剃毛を行うことも可能である。
【００４１】
（２）上記実施形態では、剃毛のみを考慮しているが、剃毛に換えて毛抜きを行う場合でも、オゾンによる皮膚の消毒等は有効である。この場合には剃毛機構に換えて毛抜き機構（例えば、毛を挟んで引っ張ることで毛を抜く）が配置される。これは上記第１〜第３の実施形態のいずれでも同様に行える。
【００４２】
（３）上記実施形態では、電源として電池を使用しているが、装置外部の商用電源を利用してもよい。
（４）さらに、波長特性の異なる複数の光源を用いて、皮膚に光を照射することも可能である。
【００４３】
【発明の効果】
以上説明したように、本発明によれば除毛の際に皮膚に与えるダメージを緩和する処理を行える剃毛装置、毛抜き装置を提供することができる。
【図面の簡単な説明】
【図１】本発明の第１実施形態に係る剃毛装置を正面および側面から見た状態を表す断面図である。
【図２】本発明の第１実施形態に係る剃毛装置の構成を表すブロック図である。
【図３】本発明の第１実施形態に係る剃毛装置を用いて剃毛を行っている状態を表す側面図である。
【図４】本発明の第１実施形態に係る剃毛装置の第１の変形例に係る剃毛装置を表す側面図である。
【図５】本発明の第１実施形態に係る剃毛装置の第２の変形例に係る剃毛装置を表す側面図である。
【図６】本発明の第２実施形態に係る剃毛装置を側面から見た状態を表す断面図である。
【図７】本発明の第２実施形態に係る剃毛装置の構成を表すブロック図である。
【符号の説明】
１００    剃毛装置
１０      筺体
１１      主格納室
１３      ランプ格納室
１４      窓
１５      窓材の板
２０      紫外線ランプ
２１      コネクタ
３０      インバータ
４０      剃毛機構
４１      シェーバ部
４２      剃り部
４３      外刃
４４      内刃
４５      毛蓄積部
４７      刃
５０      回転−往復変換機構
６０      モータ
７０      制御部
【図１】
2004254858.tif 000003
【図２】
2004254858.tif 000004
【図３】
2004254858.tif 000005
【図４】
2004254858.tif 000006
【図５】
2004254858.tif 000007
【図６】
2004254858.tif 000008
【図７】
2004254858.tif 000009